(57)【要約】【課題】化粧板の交換を可能とし、意匠の変更及び補修を容易に行うことができる外構用支柱を提供すること。【解決手段】外構用支柱１は、芯材２と、芯材２の少なくとも前方面２０１、後方面２０２及び側方面２０３にそれぞれ配される複数の化粧板としての前方化粧板３１、後方化粧板３２及び側方化粧板３３とを有している。複数の化粧板３のうち少なくとも前方面２０１に配される前方化粧板３１は、前方化粧板３１を芯材２へ着脱可能に固定する固定手段によって芯材２に固定されている。【選択図】図１
2015068148.tif 000002
【特許請求の範囲】
【請求項１】
芯材と、該芯材の少なくとも前方面、後方面及び側方面に配される複数の化粧板とを有する外構用支柱において、
上記複数の化粧板のうち少なくとも上記前方面に配される前方化粧板は、該前方化粧板を上記芯材へ着脱可能に固定する固定手段によって上記芯材に固定されていることを特徴とする外構用支柱。
【請求項２】
上記固定手段は、固定用溝をそれぞれ形成すると共に、該固定用溝を対向させるよう平行に配された一対の固定用ジョイナーからなり、上記固定用溝に上記前方化粧板を挿入することにより上記芯材に固定することを特徴とする請求項１に記載の外構用支柱。
【請求項３】
上記前方化粧板における上記固定用ジョイナーに挿入される一対の端辺部には、上記固定用溝内に挿入可能なスライド用ジョイナーが配されていることを特徴とする請求項２に記載の外構用支柱。
【請求項４】
上記化粧板は、外側に配される意匠面と、該意匠面の反対側の裏面と、上記意匠面と上記裏面とを繋ぐ側面とを有する意匠パネルと、少なくとも該意匠パネルの上記意匠面の全面を覆うように貼付けられた被覆シートとを有していることを特徴とする請求項１〜３のいずれか一項に記載の外構用支柱。
【請求項５】
上記意匠パネルは、珪酸カルシウムを主成分とする材料によって形成されており、上記被覆シートは、樹脂シートからなることを特徴とする請求項４に記載の外構用支柱。
【請求項６】
上記前方化粧板には、板側貫通孔が貫通形成されており、上記芯材は、上下方向に貫通する空洞と、該空洞と上記板側貫通孔とを連通する芯材貫通孔とを有していることを特徴とする請求項１〜５のいずれか一項に記載の外構用支柱。
【請求項７】
上記前方化粧板における上記板側貫通孔の内周面の少なくとも一部が、上記意匠面の全面を覆うように貼り付けられた上記被覆シートによって覆われていることを特徴とする請求項６に記載の外構用支柱。
【発明の詳細な説明】
【技術分野】
【０００１】
本発明は、建物の外構に用いられる外構用支柱に関する。
【背景技術】
【０００２】
建物の外構における入口には、インターホン、郵便受け、照明等を備えた外構門袖や外構門柱が多く用いられている。これら外構門袖や外構門柱を構成する外構用支柱としては、例えば、特許文献１に示されたものがある。特許文献１の外構用支柱は、有機樹脂発泡材料よりなる芯材と、芯材の周囲を被覆するよう接着固定された無機発泡材よりなる表面材とを有している。
【先行技術文献】
【特許文献】
【０００３】
【特許文献１】実登３１４４７７８公報
【発明の概要】
【発明が解決しようとする課題】
【０００４】
しかしながら、上記の外構用支柱には以下の課題がある。
特許文献１に示された外構用支柱においては、芯材と芯材の表面を覆う表面材とが接着材によって接合されている。そのため、外構用支柱の表面材に、劣化や損傷が生じ意匠性が低下しても、表面材を容易に取り除くことができない。したがって、このような場合には、外構用支柱自体を新しいものに取り換える必要がある。
【０００５】
また、外構用支柱において、表面材の内側に配された芯材には劣化が生じにくく、表面材が劣化したとしても、芯材は使用可能な状態であることが多い。そのため、まだ使用することのできる芯材までも新たに作り直すことは、資源的にも施工作業的にも無駄が生じることとなる。
【０００６】
また、建物のリフォームを行い外観イメージが変更された場合、外構用支柱においてもリフォーム後の建物の外観イメージに合わせたいという要求があり、容易に意匠を変更することができる外構用支柱が望まれている。
【０００７】
本発明は、かかる背景に鑑みてなされたものであり、化粧板の交換を可能とし、意匠の変更及び補修を容易に行うことのできる外構用支柱を提供しようとするものである。
【課題を解決するための手段】
【０００８】
本発明の一態様は、芯材と、該芯材の少なくとも前方面、後方面及び側方面に配される複数の化粧板とを有する外構用支柱において、
上記複数の化粧板のうち少なくとも上記前方面に配される前方化粧板は、該前方化粧板を上記芯材へ着脱可能に固定する固定手段によって上記芯材に固定されていることを特徴とする外構用支柱にある。
【発明の効果】
【０００９】
上記外構用支柱においては、少なくとも上記前方化粧板が、上記芯材へ着脱可能に固定されている。そのため、劣化や損傷により意匠性の低下した前方化粧板を上記芯材から取り外し、新しい前方化粧板に交換することにより、上記芯材に手を加えることなく、上記外構用支柱の補修を容易に行うことができる。
また、上記前方化粧板を交換する際に、該前方化粧板の意匠を変更することで上記外構用支柱の意匠を容易に変更することができる。
このように、例えば、建物のリフォーム等により建物の外観と外構用支柱の外観とがそぐわない場合の意匠の変更や、上記前方化粧板の損傷等により交換が必要な場合の補修を、低コストでかつ容易に対応することができる。
【００１０】
以上のごとく、上記外構用支柱によれば、化粧板の交換を可能とし、意匠の変更及び補修を容易に行うことが可能となる。
【図面の簡単な説明】
【００１１】
【図１】実施例１における、外構用門柱を示す説明図。
【図２】図１における、Ａ−Ａ矢視断面図。
【図３】図１における、Ｂ−Ｂ矢視断面図。
【図４】実施例１における、前方化粧板を示す説明図。
【図５】図４における、Ｃ−Ｃ矢視断面図。
【図６】図４における、Ｄ−Ｄ矢視断面図。
【図７】実施例１における、前方化粧板の取付工程を示す説明図。
【発明を実施するための形態】
【００１２】
上記外構用支柱においては、少なくとも該外構用支柱の意匠性に大きく影響する上記前方化粧板が上記固定手段によって着脱可能に固定されていればよい。また、上記芯材の後方面及び側方面に配された上記化粧板を、上記固定手段によって着脱可能に固定することも可能である。
【００１３】
また、上記固定手段は、固定用溝をそれぞれ形成すると共に、該固定用溝を対向させるよう平行に配された一対の固定用ジョイナーからなり、上記固定用溝に上記前方化粧板を挿入することにより上記芯材に固定することが好ましい。この場合には、上記固定手段をシンプルな構造としながら、上記前方化粧板の着脱を容易に行うことができる。
【００１４】
また、上記前方化粧板における上記固定用ジョイナーに挿入される一対の端辺部には、上記固定用溝内に挿入可能なスライド用ジョイナーが配されていることが好ましい。この場合には、上記固定用ジョイナーへの上記前方化粧板の挿入時に、上記前方化粧板の形状や素材の影響を受けない。これにより、上記前方化粧板の着脱をさらに容易に行うことができる。
【００１５】
また、上記化粧板は、外側に配される意匠面と、該意匠面の反対側の裏面と、上記意匠面と上記裏面とを繋ぐ側面とを有する意匠パネルと、少なくとも該意匠パネルの上記意匠面の全面を覆うように貼付けられた被覆シートとを有していることが好ましい。この場合には、上記被覆シートの色、模様等を変更することにより、上記化粧板の意匠性を向上すると共に意匠の変更を容易に行うことができる。
【００１６】
また、上記意匠パネルは、珪酸カルシウムを主成分とする材料によって形成されており、上記被覆シートは、樹脂シートからなることが好ましい。珪酸カルシウムは、軽量でかつ不燃性を備えると共に、加工性に優れており外構用支柱に適した材料である。また、樹脂シートからなる上記被覆シートは、耐水性、耐候性に優れている。したがって、珪酸カルシウムを主成分とする上記意匠パネルを、樹脂シートからなる上記被覆シートによって被覆することにより、各部材の長所を備えた外構用支柱に最適な上記化粧板を得ることができる。
【００１７】
また、上記前方化粧板には、板側貫通孔が貫通形成されており、上記芯材は、上下方向に貫通する空洞と、該空洞と上記板側貫通孔とを連通する芯材貫通孔とを有していることが好ましい。この場合には、上記前方化粧板に取り付けられるインターホンや電灯の電気配線等を、上記板側貫通孔、上記芯材貫通孔及び上記空洞に挿通配置することができる。これにより、容易かつ整然と電気配線を配することができる。
【００１８】
また、上記前方化粧板における上記板側貫通孔の内周面の少なくとも一部が、上記意匠面の全面を覆うように貼り付けられた上記被覆シートによって覆われていることが好ましい。この場合には、上記板側貫通孔の周囲において、上記被覆シートが剥がれることを防止すると共に、上記板側貫通孔における意匠性の低下を防止することができる。
【実施例】
【００１９】
（実施例１）
上記外構用支柱にかかる実施例について、図１〜図７を参照して説明する。
図１〜図３に示すごとく、外構用支柱１は、芯材２と、芯材２の少なくとも前方面２０１、後方面２０２及び側方面２０３に配される複数の化粧板３とを有している。
複数の化粧板３のうち前方面２０１に配される前方化粧板３１は、前方化粧板３１を芯材２へ着脱可能に固定する固定手段によって芯材２に固定されている。
【００２０】
以下、さらに詳細に説明する。
本例に示す図１〜図７において、外構用支柱１における各部の寸法は、実物と異なる寸法によって描かれている。
【００２１】
図１〜図３に示すごとく、外構用支柱１は、建物の外構における入口近傍に配される門柱を構成するものである。
外構用支柱１は、芯材２と、芯材２を囲むように配された４つの化粧板３と、前方化粧板３１の固定に用いられる固定手段としての固定用ジョイナー４１と、後方化粧板３３を固定する一対の接着ジョイナー４２を備えている。
【００２２】
図２及び図３に示すごとく、芯材２は、ポリ塩化ビニルを可塑剤とし炭酸カルシウムを主成分とする芯材本体部２１と、鋼材からなる２本の補強部材２６とを有している。
芯材本体部２１は、前方面２０１側に配される前方部材２２と、後方面２０２側に配される後方部材２３と、各側方面２０３に配される２つの側方部材２４と、これらの内側に配される２つの内方部材２５とを連結して形成されている。
【００２３】
図３に示すごとく、前方部材２２は、前後方向に貫通形成された芯材貫通孔２２１を備えており、芯材貫通孔２２１の内側には、インターホン７が固定されるネジ穴を備えたスイッチボックス７２が固定されている。スイッチボックス７２の内側には、芯材２内の空洞２０４に挿通配置された電気配線７１の一端が配されている。
【００２４】
前方部材２２と後方部材２３とは、同形状の板材からなり、互いに対向して配されている。上方から見たとき、前方部材２２及び後方部材２３の両端部には、両者を繋ぐように、２つの側方部材２４がそれぞれ配されている。また、２つの内方部材２５は、側方部材２４からさらに内側の位置に配されており、側方部材２４との間及び内方部材２５の間に計３つの空洞２０４、２０５、２０６を形成している。
【００２５】
側方部材２４と内方部材２５との間にそれぞれ形成された空洞２０５、２０６には、芯材本体部２１の全長にわたって補強部材２６が挿通配置されている。
補強部材２６は、軸方向から見たとき、長方形断面をなす角筒形状を有しており、その外形形状は、補強部材２６が挿通配置された空洞２０５、２０６と対応した形状をなしている。
【００２６】
図２及び図３に示すごとく、固定用ジョイナー４１及び接着ジョイナー４２は、アルミニウム合金によって形成されており、固定用ジョイナー４１は芯材２の前方面２０１における側方の両端にそれぞれ１つずつ配されている。また、接着ジョイナー４２は、芯材２の後方面２０２における側方の両端にそれぞれ配されている。
固定用ジョイナー４１及び接着ジョイナー４２は、平板状のジョイナー基部４１１と、ジョイナー基部４１１から延びるジョイナー挟持部４１２とを有している。
【００２７】
ジョイナー基部４１１の軸方向から見たとき、ジョイナー挟持部４１２は、ジョイナー基部４１１における一方の端部及び略中央の位置から、ジョイナー基部４１１と直交して同一方向に向かって形成された２つの板状部材からなる。つまり、ジョイナー基部４１１と一対のジョイナー挟持部４１２によって固定用溝４１３が形成されている。
【００２８】
固定用ジョイナー４１におけるジョイナー挟持部４１２の間隔は、前方化粧板３１に配されたスライド用ジョイナー３２における前後方向の厚さと対応しており、固定用溝４１３にスライド用ジョイナー３２を挿入可能に構成されている。尚、スライド用ジョイナー３２を備えた前方化粧板３１は、固定用ジョイナー４１に対して、着脱可能に固定される。
接着ジョイナー４２におけるジョイナー挟持部４１２の間隔は、後方化粧板３３における前後方向の厚さと対応しており、固定用溝４１３に後方化粧板３３を配置可能に構成されている。尚、後方化粧板３３は、接着ジョイナー４２に対して一体に固定される。
【００２９】
尚、固定用ジョイナー４１及び接着ジョイナー４２には、例えば、一般的に出隅ジョイナーと呼ばれる部品を用いることができる。また、固定用ジョイナー４１及び接着ジョイナー４２は、出隅ジョイナーに限るものではなく、同様の構造を有する部品を用いることもできる。
【００３０】
図２及び図３に示すごとく、芯材２を覆うように配された４つの化粧板３は、芯材２の前方面２０１に配される前方化粧板３１と、後方面２０２に配される後方化粧板３３と、側方面２０３にそれぞれ配される側方化粧板３４とからなる。
各化粧板３は、意匠パネル３０５と、意匠パネル３０５を覆うように配された被覆シート３０４とを有している。
【００３１】
意匠パネル３０５は、珪酸カルシウムを主成分とした材料を板状に形成してなる。また、各意匠パネル３０５は、外側に配される意匠面３０１と、意匠面３０１の反対側の裏面３０２と、意匠面３０１と裏面３０２とを繋ぐ側面３０３とを備えている。
【００３２】
側方化粧板３４に用いられる意匠パネル３０５の外形形状は、芯材２を側方から見た際の外形形状と対応して形成されている。
また、前方化粧板３１及び後方化粧板３３の外形形状は、芯材２に側方化粧板３４を配した際の前方又は後方から見た外形形状と対応して形成されている。
本例において、後方化粧板３３及び側方化粧板３４における意匠面３０１は、平坦な平面によって形成されている。
【００３３】
図４〜図６に示すごとく、前方化粧板３１に用いられる意匠パネル３０５は、意匠面３０１に凹凸形状を形成した凹凸意匠面３１３を有している。本例においては、意匠面３０１の全面に凹凸形状を形成してあるが、凹凸意匠面３１３の端部のジョイナーが配される部位に、凹凸形状を形成せず平面によって構成してもよい。また、前方化粧板３１に用いられる意匠パネル３０５には、意匠面３０１の法線方向に貫通した四角形状の板側貫通孔３１１が形成されている。板側貫通孔３１１の内周面には、段部３１２が形成されている。
【００３４】
図２、図３、図５及び図６に示すごとく、各意匠パネル３０５には、１枚の被覆シート３０４が貼り付けられている。
前方化粧板３１に用いられる意匠パネル３０５には、意匠面３０１の全面、段部３１２及び板側貫通孔３１１の内周を覆うように１枚の被覆シート３０４が貼り付けられている。
また、後方化粧板３３及び側方化粧板３４に用いられる意匠パネル３０５には、意匠面３０１の全面、側面３０３の全面及び裏面３０２の外周縁部近傍を覆うように１枚の被覆シート３０４が貼り付けられている。
【００３５】
意匠パネル３０５に貼り付けられた被覆シート３０４は、塩化ビニル系樹脂からなり、表面にフッ素樹脂皮膜を形成すると共にデザインを施してある。尚、被覆シート３０４は、単色、複数色、木目調、メタリック調等、種々のデザインのものを用いることができる。また、本例においては、皮膜シートの表面にフッ素樹脂皮膜を形成したが、アクリル樹脂皮膜を形成しても良い。
【００３６】
本例においては、図示しない真空成型機を用いて意匠パネル３０５への被覆シート３０４の貼付けを行った。まず、上記真空成型機が有するチャンバーボックス内に配されたテーブル上に意匠パネル３０５を配置する。このとき、意匠パネル３０５は、その外周端部を浮かせた状態で配置する。上記チャンバーボックス内において、意匠パネル３０５の上方に被覆シート３０４を配すると共に、被覆シート３０４によりチャンバーボックス内の空間を上下に２分割し、上下の空間をそれぞれ密封状態とする。
【００３７】
被覆シート３０４をヒータにより加熱し、引き延ばしやすくした後、意匠パネル３０５を配した下方の空間を真空とすることにより、被覆シート３０４が意匠パネル３０５に密着し貼り付けられる。このとき、意匠パネル３０５の角部及び凹凸形状においても、形状に沿うように被覆シート３０４が引き延ばされながら貼付けが行われるため、しわ等が生じない。また、意匠パネル３０５の端部を浮かせた状態で配置することにより、意匠パネル３０５の裏面３０２まで、被覆シート３０４を貼付けすることができる。
【００３８】
図４〜図６に示すごとく、前方化粧板３１における側方に配された一対の端辺部３１４には、スライド用ジョイナー３２が配されている。スライド用ジョイナー３２は、アルミニウム合金によって形成されており、前方化粧板３１の側面３０３に当接する側方部３２１と、側面３０３部の前後端から前方化粧板３１の意匠面３０１及び裏面３０２とそれぞれ対向して配される前後壁部３２２とを有している。
【００３９】
スライド用ジョイナー３２は、前方化粧板３１における一対の端辺部３１４の全長にわたって配置されている。スライド用ジョイナー３２を前方化粧板３１に配し、前後壁部３２２によって意匠面３０１を押さえることにより、意匠面３０１に貼り付けられた被覆シート３０４の剥がれを防止することができる。尚、前方化粧板３１とスライド用ジョイナー３２とは、接着材によって互いに固定されている。
尚、スライド用ジョイナー３２には、例えば、一般的にＣ型ジョイナーと呼ばれる部品を用いることができる。また、スライド用ジョイナー３２は、Ｃ型ジョイナーに限るものではなく、同様の構造を有する部品を用いることもできる。
【００４０】
次に、外構用支柱１の組立順序について説明する。
外構用支柱１の組み立て順序は、まず、芯材２の各側方面２０３に、それぞれ側方化粧板３４を接着固定する。
次に、芯材２の後方面２０２に配される後方化粧板３３の両端をジョイナー挟持部４１２の間に配して、後方化粧板３３とジョイナーとを接着固定する。そして、連結された状態の後方化粧板３３及び接着ジョイナー４２を芯材２の後方面２０２に接着固定する。
【００４１】
次に、前方面２０１の側方両端にそれぞれ固定用ジョイナー４１を接着固定する。そして、図７に示すごとく、対向して配された一対の固定用ジョイナー４１の固定用溝４１３に上方から前方化粧板３１を挿入することにより、前方化粧板３１を芯材２に固定する。このとき、前方化粧板３１の段部３１２にインターホン７のベース部材（図示略）を嵌合すると共に、ベース部材を、芯材２の前方部材２２に配されたスイッチボックス７２のネジ穴に締結固定する。これにより、インターホン７の固定を兼ねながら、前方化粧板３１と芯材２との上下方向における位置決めと両者の固定をしている。ベース部材には、スイッチボックス７２内に一端が配された電気配線７１と接続されたインターホン７が固定される。
【００４２】
図１に示すごとく、外構用支柱１の上端部は、笠木６によって封止されている。笠木６は、各化粧板３における上方に配されると共に接着材によって接合され両者の間は密閉されている。
また外構用支柱１の破線Ｇよりも下端側には、図示しない転倒防止アンカーとコンクリートからなる基礎部が形成され地中に埋設される。
【００４３】
次に、本例の作用効果について説明する。
外構用支柱１においては、少なくとも前方化粧板３１が、芯材２へ着脱可能に固定されている。そのため、劣化や損傷により意匠性の低下した前方化粧板３１を芯材２から取り外し、新しい前方化粧板３１に交換することにより、芯材２に手を加えることなく、外構用支柱１の補修を容易に行うことができる。
また、前方化粧板３１を交換する際に、前方化粧板３１の意匠を変更することで外構用支柱１の意匠を容易に変更することができる。
このように、例えば、建物のリフォーム等により、建物の外観と外構用支柱１の外観とがそぐわない場合の意匠の変更や、前方化粧板３１の損傷等により交換が必要な場合の補修を、低コストでかつ容易に対応することができる。
【００４４】
また、固定手段は、固定用溝４１３をそれぞれ形成すると共に、固定用溝４１３を対向させるよう平行に配された一対の固定用ジョイナー４１からなり、固定用溝４１３に前方化粧板３１を挿入することにより芯材２に固定している。そのため、固定手段をシンプルな構造としながら、前方化粧板３１の着脱を容易に行うことができる。
【００４５】
また、前方化粧板３１における固定用ジョイナー４１に挿入される一対の端辺部３１４には、固定用溝４１３内に挿入可能なスライド用ジョイナー３２が配されている。そのため、固定用ジョイナー４１への前方化粧板３１の挿入作業時に、前方化粧板３１の形状や素材の影響を受けない。これにより、前方化粧板３１の着脱をさらに容易に行うことができる。
【００４６】
また、化粧板３は、外側に配される意匠面３０１と、意匠面３０１の反対側の裏面３０２と、意匠面３０１と裏面３０２とを繋ぐ側面３０３とを有する意匠パネル３０５と、少なくとも意匠パネル３０５の意匠面３０１の全面を覆うように貼付けられた被覆シート３０４とを有している。そのため、被覆シート３０４の色、模様等を変更することにより、化粧板３の意匠性を向上すると共に意匠の変更を容易に行うことができる。
【００４７】
また、意匠パネル３０５は、珪酸カルシウムを主成分とする材料によって形成されており、被覆シート３０４は、樹脂シートからなる。珪酸カルシウムは、軽量でかつ不燃性を備えると共に、加工性に優れており外構用支柱１に適した材料である。また、樹脂シートからなる被覆シート３０４は、耐水性、耐候性に優れている。したがって、珪酸カルシウムを主成分とする意匠パネル３０５を、樹脂シートからなる被覆シート３０４によって被覆することにより、各部材の長所を備えた外構用支柱１に最適な化粧板３を得ることができる。
【００４８】
また、前方化粧板３１には、板側貫通孔３１１が貫通形成されており、芯材２は、上下方向に貫通する空洞２０４と、空洞２０４と板側貫通孔３１１とを連通する芯材貫通孔２２１とを有している。そのため、前方化粧板３１に取り付けられるインターホン７や電灯の電気配線７１等を、板側貫通孔３１１、芯材貫通孔２２１及び空洞２０４に挿通配置することができる。これにより、容易かつ整然と電気配線７１を配することができる。
【００４９】
前方化粧板３１における板側貫通孔３１１の内周面の少なくとも一部が、意匠面３０１の全面を覆うように貼り付けられた被覆シート３０４によって覆われている。そのため、板側貫通孔３１１の周囲において、被覆シート３０４が剥がれることを防止すると共に、板側貫通孔３１１における意匠性の低下を防止することができる。
【００５０】
以上のごとく、本例の外構用支柱１によれば、化粧板３の交換を可能とし、意匠の変更及び補修を容易に行うことができる。
【００５１】
本例においては、前方化粧板の化粧面全面に被覆シートを貼り付けてあるが、側面及び裏面側まで貼り付けてあってもよい。また、板側貫通孔の内周面全面に被覆シートを貼り付けてあるが、これに限るものではなく、被覆シートは、板側貫通孔３１１における内周面の一部を覆うように貼り付けてもよいし、裏面側まで達していてもよい。
【符号の説明】
【００５２】
１  外構用支柱
２  芯材
２０１  前方面
２０２  後方面
２０３  側方面
３  化粧板
３１  前方化粧板
【図１】
2015068148.tif 000003
【図２】
2015068148.tif 000004
【図３】
2015068148.tif 000005
【図４】
2015068148.tif 000006
【図５】
2015068148.tif 000007
【図６】
2015068148.tif 000008
【図７】
2015068148.tif 000009